(57)【要約】【課題】  大型のカラーレーザプリンタを装置内に精度よく搭載することで、証明書を揃えて排出する搬送ユニットとの受け渡しを可能とし、且つカラーレーザプリンタの保守性を確保する。  【解決手段】  大型のカラーレーザプリンタを装置内に精度よく搭載するために、カラーレーザプリンタをレールに固定する。同様に搬送ユニットもレールに固定することで、相互の位置関係が精度よく保たれる。しかし、カラーレーザプリンタは非常に重いため、常識的なコストの範疇では、レールの引き出し寸法には構造的に限界があり、カラーレーザプリンタの背面側の保守には支障を来してしまう。そこで、背面側の保守が必要となった場合のみ、カラーレーザプリンタに車輪を取り付けることにより、レールから取外し、背面へのアクセスを確保する構造とする。  【選択図】  図４
2008254388.tif 000002
【特許請求の範囲】
【請求項１】
証明書用紙に所定の内容を印字する印字部と、
証明書用紙を繰り出して前記印字部へ入力する用紙繰出部と、
前記印字部にて印字された証明書を当該証明書自動発行装置外へ出力する搬送部と、
からなり、前記用紙繰出部は前記印字部の前部に搭載され、前記搬送部は前記印字部の上部に搭載されていることを特徴とする証明書自動発行装置。
【請求項２】
請求項１に記載の証明書自動発行装置であって、
前記印字部と前記搬送部とは、当該証明書自動発行装置の筐体内に設けたレールに固定される構造であることを特徴とする証明書自動発行装置。
【請求項３】
請求項２に記載の証明書自動発行装置であって、
前記印字部は前記レールへの固定を解除する場合、車輪によって可動可能であることを特長とする証明書自動発行装置。
【請求項４】
請求項３に記載の証明書自動発行装置であって、
前記印字部に取り付けられた車輪は着脱可能であることを特徴とする証明書自動発行装置。
【請求項５】
請求項４に記載の証明書自動発行装置であって、
前記印字部に取り付けられた車輪は可動式であることを特徴とする証明書自動発行装置。
【発明の詳細な説明】
【技術分野】
【０００１】
本発明は、大学等において卒業証明書等の各種証明書を自動発行する証明書自動発行装置に関するものである。
【背景技術】
【０００２】
大学等の教育機関においては、卒業証明書等の発行が従来の事務窓口における人手によるものから、自動化された装置による発行が増えている。また、このような証明書自動発行装置では、発行する証明書の多様化ニーズに伴い、装置内に大型カラーレーザプリンタを搭載することが一般的となっている。
【０００３】
大型のカラーレーザプリンタは重量が重いため、保守時には、装置から引き出し、周囲からアクセスが可能な構造としておく必要がある。そのため、カラーレーザプリンタには車輪を取り付け、引き出せるようにする構造が主流であるが、この場合、装置内に精度よく搭載することが困難である。
【０００４】
そのため、カラーレーザプリンタから出力された証明書を受け取り、発行口より排出する機構側は、カラーレーザプリンタの位置がばらついても証明書を受け取ることができるように大き目のトレー形状とすることが一般的であり、その結果、発行口から証明書を排出する際の証明書の揃え方は不十分な状態となっている。
【０００５】
従来、証明書の自動発行に係る装置については、特開平７−７４９０６号公報（特許文献１）、あるいは、特開平７−８１１４６号公報（特許文献２）に記載のものがある。
【０００６】
【特許文献１】特開平７−７４９０６号公報（証明書発行機における印字品質）
【特許文献２】特開平７−８１１４６号公報（証明書発行機における偽造防止）
【発明の開示】
【発明が解決しようとする課題】
【０００７】
特許文献１に記載の発明は証明書発行機における印字品質に係るものであり、また、特許文献２に記載の発明は証明書発行機における偽造防止に係るものであって、証明書排出時の見映えや装置の保守性に言及したものは見られない。
【０００８】
本願発明の目的は、証明書自動発行装置において、大型のカラーレーザプリンタを装置内に精度よく搭載することで、証明書を揃えて排出する搬送ユニットとの受け渡しを可能とし、且つカラーレーザプリンタの保守性を確保する。
【課題を解決するための手段】
【０００９】
証明書自動発行装置において、大型のカラーレーザプリンタを装置内に精度よく搭載するために、カラーレーザプリンタをレールに固定する。同様に搬送ユニットもレールに固定することで、相互の位置関係が精度よく保たれる。しかし、カラーレーザプリンタは非常に重いため、常識的なコストの範疇では、レールの引き出し寸法には構造的に限界があり、カラーレーザプリンタの背面側の保守には支障を来してしまう。そこで、背面側の保守が必要となった場合のみ、カラーレーザプリンタに車輪を取り付けることにより、レールから取外し、背面へのアクセスを確保する構造とする。
【発明の効果】
【００１０】
大型のカラーレーザプリンタを搭載した装置であるが、証明書を揃えて排出可能であり、カラーレーザプリンタの保守性も確保できている。
【発明を実施するための最良の形態】
【００１１】
大型のカラーレーザプリンタ、及び証明書を揃える搬送ユニットをレールに固定する。カラーレーザプリンタは車輪を取り付けられ、レールから取外せる構造とする。
【実施例１】
【００１２】
以下に添付図面を参照して、本発明の実施例を説明する。
【００１３】
図1は本発明における証明書自動発行装置の概略外観図である。証明書自動発行装置は、現金取引部１、ＩＤカード読取部２、顧客操作部３、証明書発行部４を有する。前記現金取引部１は、硬貨ユニット５、紙幣ユニット６、レシートプリンタ７から構成される。操作者は、顧客操作部３から、メニューの選択等を行い、ＩＤカード読取部２に各自のＩＤカードを読み込ませ、現金取引部１に指定の金額を投入することにより、必要とする証明書を証明書発行部４より受け取る。
【００１４】
図２に証明書発行部４の構成を示す。証明書発行部４は、搬送ユニット８、カラーレーザプリンタ９、証明書の用紙を繰り出す用紙繰出ユニット１０から成る。カラーレーザプリンタ９が各種証明書を印刷し、搬送ユニット８がそれら証明書を受け取る。搬送ユニット８の内部では、受け取った証明書は用紙搬送部１１によりスタック部１２へ搬送され、スタック部１２で複数枚の証明書が集められ、必要枚数が揃ったところで、排出部１３より排出される。
【００１５】
回収部１４は、排出した証明書を操作者が取り忘れた場合に回収するものである。搬送ユニット制御部１５は、搬送ユニット８の各部の動作を制御する。また、用紙繰出ユニット１０は、サポートできる証明書の種類を増やすため、カラーレーザプリンタのカセットトレイ１６〜１８以外に、手差しトレイ１９を利用できるよう手差しトレイ１９へ用紙を繰出すユニットである。
【００１６】
搬送ユニット８、カラーレーザプリンタ９、用紙繰出ユニット１０は、装置内において図３に示すように実装されている。その際、用紙繰出ユニット１０からカラーレーザプリンタ９への証明書の受け渡し、及びカラーレーザプリンタ９から搬送ユニット８への証明書の受け渡しが精度よく行われるよう、各ユニット（搬送ユニット８、カラーレーザプリンタ９、用紙繰出ユニット１０）はレール２０〜２２に固定されている（図４参照）。
【００１７】
証明書の受け渡しが精度よく行われることは、排出口から操作者へ証明書を排出する際、きれいに揃った状態で排出できることにつながる。カラーレーザプリンタ９は、非常に重く、１００ｋｇを超える重量を有するため、一般的には、カラーレーザプリンタ９に車輪を取り付け、装置に搭載することが主流である。
【００１８】
しかし、この場合、装置内でのカラーレーザプリンタ９の位置はばらつくため、証明書を受け取る側の機構はそのばらつきを吸収できるよう大き目のトレイ形状となり、排出口から操作者へ証明書を排出する際、十分に揃った状態で排出することは困難となる。各ユニット（搬送ユニット８、カラーレーザプリンタ９、用紙繰出ユニット１０）をレール２０〜２２に固定することで、排出時の証明書を揃えて排出することを可能としているが、レールを使用した場合には、常識的なコストの範疇で考えると、引き出し寸法に限界があり、カラーレーザプリンタ９の背面の保守性が劣化してしまう問題がある。
【００１９】
そこで、本発明では、背面の保守が必要となった場合には、カラーレーザプリンタ９に車輪２３を取り付けることによりレール２１から取り外して引き出せる構造とし、背面の保守性を確保している。カラーレーザプリンタ９の保守において最もアクセス頻度が少ない面を背面側とする配慮も行っている。車輪２３は接続用冶具等でカラーレーザプリンタ９に着脱自在となるようにしてもよいし、可倒あるいは可動可能にカラーレーザプリンタ９へ装着しレール２１に固定される際にはレール２１上の移動を妨げない位置に退避させるように構成してもよい。
【００２０】
以上により、大型のカラーレーザプリンタを装置内に精度よく搭載することで、証明書を揃えて排出する搬送ユニットとの受け渡しを可能とし、且つカラーレーザプリンタの保守性を確保した証明書自動発行装置を提供することが可能となる。
【図面の簡単な説明】
【００２１】
【図１】証明書自動発行装置の概略外観図
【図２】証明書発行部の構成図
【図３】証明書自動発行装置の内部実装図（側面）
【図４】各ユニットを引き出した状態
【符号の説明】
【００２２】
1・・・現金取引部            2・・・ＩＤカード読取部        3・・・顧客操作部
4・・・証明書発行部          5・・・硬貨ユニット            6・・・紙幣ユニット
7・・・レシートプリンタ      8・・・搬送ユニット            9・・・カラーレーザプリンタ
10・・・用紙繰出ユニット    11・・・用紙搬送部             12・・・スタック部
13・・・排出部              14・・・回収部                 15・・・搬送ユニット制御部
16・・・カセットトレイ(1)    17・・・カセットトレイ(2)       18・・・カセットトレイ(3)
19・・・手差しトレイ        20・・・搬送ユニット用レール
21・・・カラーレーザプリンタ用レール
22・・・用紙繰出ユニット用レール
23・・・車輪
【図１】
2008254388.tif 000003
【図２】
2008254388.tif 000004
【図３】
2008254388.tif 000005
【図４】
2008254388.tif 000006